(57)【要約】【課題】  強度のばらつきが減少した組立構造体を提供する。【解決手段】  組立構造体１１は、第１の部材１６と、第２の部材２３とから構成された中空の立方体形状を有している。第１の部材１６及び第２の部材２３の各々は、表ライナー１３と、裏ライナーと、中芯１４とによりなる１層構造の段ボール紙から打ち抜いて形成されている。このとき、段ボール紙の紙幅方向は、展開時の第１の部材１６及び第２の部材２３の各々の長手方向に対して平行に設定されている。このようにすることで、組立構造体１１において、対向する２面を近接する方向の各々に押圧したときに、他の４面の少なくとも１面の段ボール紙の紙幅方向は、押圧方向に平行となる。そのため、組立構造体１１の強度のばらつきが減少する。【選択図】      図１
2016140286.tif 000002
【特許請求の範囲】
【請求項１】
中芯と少なくとも１枚のライナーよりなる少なくとも１層の段ボール紙で組み立てられた立方体形状の組立構造体であって、
前記組立構造体における並列的に隣接する３面に対応し、各面の境界で直角に折り曲げて形成され、側面視がコの字形状の第１の部材と、
前記第１の部材の外縁にその外縁が脱着自在に連結され、前記組立構造体の隣接する他の３面に対応し、各面の境界で直角に折り曲げて形成され、側面視がコの字形状の第２の部材とを備え、
展開時の前記第１の部材及び前記第２の部材の各々の長手方向に対して、前記段ボール紙の紙幅方向が平行に設定される、組立構造体。
【請求項２】
中芯と少なくとも１枚のライナーよりなる少なくとも１層の段ボール紙で組み立てられた立方体形状の組立構造体であって、
前記組立構造体における並列的に隣接する３面に対応し、各面の境界で直角に折り曲げて形成され、側面視がコの字形状の第１の部材と、
前記第１の部材の外縁にその外縁が脱着自在に連結され、前記組立構造体の隣接する他の３面に対応し、各面の境界で直角に折り曲げて形成され、側面視がコの字形状の第２の部材とを備え、
展開時の前記第１の部材及び前記第２の部材の各々の長手方向に対して、前記段ボール紙の紙幅方向が直角方向に設定される、組立構造体。
【請求項３】
展開時の前記第１の部材及び前記第２の部材は、長手方向に並べた状態で１枚の段ボール紙から打ち抜いて形成される、請求項１又は請求項２記載の組立構造体。
【請求項４】
前記第１の部材及び前記第２の部材は、展開状態から側面視においてＺ形状にも折り曲げ自在に構成される、請求項１から請求項３のいずれかに記載の組立構造体。
【請求項５】
中芯と少なくとも１枚のライナーよりなる少なくとも１層の段ボール紙で組み立てられた直方体形状の組立構造体であって、
前記組立構造体における並列的に隣接する３面に対応し、各面の境界で直角に折り曲げて形成され、側面視がコの字形状の第１の部材と、
前記第１の部材の外縁にその外縁が脱着自在に連結され、前記組立構造体の隣接する他の３面に対応し、各面の境界で直角に折り曲げて形成され、側面視がコの字形状の第２の部材とを備え、
展開時の前記第１の部材及び前記第２の部材の各々の長手方向に対して、前記段ボール紙の紙幅方向が平行に設定される、組立構造体。
【請求項６】
中芯と少なくとも１枚のライナーよりなる少なくとも１層の段ボール紙で組み立てられた直方体形状の組立構造体であって、
前記組立構造体における並列的に隣接する３面に対応し、各面の境界で直角に折り曲げて形成され、側面視がコの字形状の第１の部材と、
前記第１の部材の外縁にその外縁が脱着自在に連結され、前記組立構造体の隣接する他の３面に対応し、各面の境界で直角に折り曲げて形成され、側面視がコの字形状の第２の部材とを備え、
展開時の前記第１の部材及び前記第２の部材の各々の長手方向に対して、前記段ボール紙の紙幅方向が直角方向に設定される、組立構造体。
【発明の詳細な説明】
【技術分野】
【０００１】
この発明は組立構造体に関し、特に猫等のペット用遊具として使用される、段ボール紙で組み立てられた組立構造体に関するものである。
【背景技術】
【０００２】
猫等のペットを収容可能であり、ペット用遊具として使用される組立構造体が種々提供されている。
【０００３】
図９は従来の組立構造体の外観形状を概略的に示す斜視図であり、図１０は図９に示した組立構造体の展開状態の外観形状を概略的に示す平面図である。
【０００４】
これらの図を参照して、組立構造体７１は、中空の立方体形状に構成されている。組立構造体７１を構成する１面には、猫等のペットが組立構造体７１の内部に出入りできるように開口７２が形成されている。
【０００５】
組立構造体７１は、表ライナー７４と、裏ライナー（図示せず）と、表ライナー７４と裏ライナーとの間に挟まれた側面視波状の中芯７５とからなる１層の段ボール紙７６を打ち抜いて形成される。ここで、中芯７５の波方向を段ボール紙７６の「流れ方向」、流れ方向に対して垂直な方向を段ボール紙７６の「紙幅方向」とすると、展開状態の組立構造体７１の長手方向に対して、段ボール紙７６の紙幅方向は平行に設定されている。尚、図９及び図１０では、説明の都合上、中芯７５の一部が表ライナー７４から露出した状態としているが、実際には、中芯７５は表ライナー７４に覆われている。
【０００６】
展開時の組立構造体７１について、境界７７で直角に折り曲げて、各々の差込片７８を対応する差込口７９に差し込むと、立方体形状の組立構造体７１が完成する。
【発明の概要】
【発明が解決しようとする課題】
【０００７】
図１１は図９に示した組立構造体において、対向する２面に対してこれらを接近する方向に押圧するときの、組立構造体の各面の段ボール紙の紙幅方向を概略的に示す斜視図である。
【０００８】
図を参照して、はじめに、組立構造体７１において、同図の（１）に示すように、対向する第１面８３と、第２面８４とを接近する方向（図中、黒色で示す矢印１の方向）に押圧する場合について考える。このとき、同図の（２）に示したように、組立構造体７１の第３面８５、第４面８６、第５面８７、及び第６面８８の各々の段ボール紙の紙幅方向は、それぞれ押圧方向に垂直となる。
【０００９】
次に、組立構造体７１において、同図の（１）に示すように、対向する第３面８５と第４面８６とを接近する方向（図中、矢印２の方向）に押圧する場合について考える。このとき、同図の（２）に示したように、組立構造体７１の第１面８３、第２面８４、第５面８７、及び第６面８８の各々の段ボール紙の紙幅方向は、それぞれ押圧方向に平行となる。
【００１０】
最後に、組立構造体７１において、同図の（１）に示すように、対向する第５面８７と第６面８８とを接近する方向（図中、矢印３の方向）に押圧する場合について考える。このとき、同図の（２）に示したように、組立構造体７１の第１面８３及び第２面８４各々の段ボールの紙幅方向は、それぞれ押圧方向に垂直となる。一方で、第３面８５及び第４面８６各々の段ボール紙の紙幅方向は、それぞれ押圧方向に平行となる。
【００１１】
ところで、押圧方向に対して段ボール紙７６（図１０参照）の紙幅方向が平行であると、段ボール紙７６を構成する中芯７５は、構造的に押圧に対する抵抗として作用する。これに対して、押圧方向に対して段ボール紙７６の紙幅方向が垂直であると、中芯７５は押圧に対する抵抗として構造的に十分作用しない。
【００１２】
このことを考慮すると、上述したように、組立構造体７１を矢印１の方向に押圧する場合、押圧する２面（第１面８３及び第２面８４）以外の他の４面（第３面８５、第４面８６、第５面８７、及び第６面８８）各々の段ボール紙７６の紙幅方向は、全て押圧方向に対して垂直であるため、他の４面の中芯７５が押圧に対する十分な抵抗となることはない。
【００１３】
一方で、上述したように、組立構造体７１を矢印２の方向に押圧する場合、押圧する２面（第３面８５及び第４面８６）以外の他の４面（第１面８３、第２面８４、第５面８７、及び第６面８８）各々の段ボール紙７６の紙幅方向は、全て押圧方向に平行であるため、他の４面の中芯７５が押圧に対する大きな抵抗となる。
【００１４】
又、上述したように、組立構造体７１を矢印３の方向に押圧する場合、押圧する２面（第５面８７及び第６面８８）以外の他の４面（第１面８３、第２面８４、第３面８５、及び第４面８６）のうち２面（第１面８３及び第２面８４）の段ボール紙７６の紙幅方向は、押圧方向に垂直であるが、他の２面（第３面８５及び第４面８６）の段ボール紙７６の紙幅方向は、押圧方向に平行である。そのため、他の２面の中芯７５が押圧に対する抵抗となる。
【００１５】
このように、組立構造体７１にあっては、押圧方向によって、押圧に対する抵抗となる中芯７５の形成方向が異なるため、組立構造体７１の強度にばらつきが生じてしまう虞がある。
【００１６】
又、組立構造体７１の場合、図１０に示したようにして段ボール紙７６から打ち抜くと、段ボール紙７６のロスが多くなるため、製品の歩留まりが悪くなる虞がある。
【００１７】
図１２は図１０に示した展開状態の組立構造体を折り畳むときの組立構造体の外観形状を概略的に示す斜視図である。
【００１８】
図を参照して、組立構造体７１にあっては、図１０に示したように展開状態において１つの部材から構成されているため、その厚さによりコンパクトに折り畳むことができない虞がある。
【００１９】
この発明は上記のような課題を解決するためになされたもので、押圧方向による強度のばらつきが減少した組立構造体を提供することを目的とする。
【課題を解決するための手段】
【００２０】
上記の目的を達成するために、請求項１記載の発明は、中芯と少なくとも１枚のライナーよりなる少なくとも１層の段ボール紙で組み立てられた立方体形状の組立構造体であって、組立構造体における並列的に隣接する３面に対応し、各面の境界で直角に折り曲げて形成され、側面視がコの字形状の第１の部材と、第１の部材の外縁にその外縁が脱着自在に連結され、組立構造体の隣接する他の３面に対応し、各面の境界で直角に折り曲げて形成され、側面視がコの字形状の第２の部材とを備え、展開時の第１の部材及び第２の部材の各々の長手方向に対して、段ボール紙の紙幅方向が平行に設定されるものである。
【００２１】
このように構成すると、対向する２面を接近する方向に押圧するとき、他の４面の少なくとも１面の紙幅方向は押圧方向に平行となる。
【００２２】
請求項２記載の発明は、中芯と少なくとも１枚のライナーよりなる少なくとも１層の段ボール紙で組み立てられた立方体形状の組立構造体であって、組立構造体における並列的に隣接する３面に対応し、各面の境界で直角に折り曲げて形成され、側面視がコの字形状の第１の部材と、第１の部材の外縁にその外縁が脱着自在に連結され、組立構造体の隣接する他の３面に対応し、各面の境界で直角に折り曲げて形成され、側面視がコの字形状の第２の部材とを備え、展開時の第１の部材及び第２の部材の各々の長手方向に対して、段ボール紙の紙幅方向が直角方向に設定されるものである。
【００２３】
このように構成すると、対向する２面を接近する方向に押圧するとき、他の４面の少なくとも１面の紙幅方向は押圧方向に平行となる。
【００２４】
請求項３記載の発明は、請求項１又は請求項２記載の発明の構成において、展開時の第１の部材及び第２の部材は、長手方向に並べた状態で１枚の段ボール紙から打ち抜いて形成されるものである。
【００２５】
このように構成すると、段ボール紙のロスが少なくなる。
【００２６】
請求項４記載の発明は、請求項１から請求項３記載のいずれかに記載の発明の構成において、第１の部材及び第２の部材は、展開状態から側面視においてＺ形状にも折り曲げ自在に構成されるものである。
【００２７】
このように構成すると、組立前の状態がコンパクトになる。
【００２８】
請求項５記載の発明は、中芯と少なくとも１枚のライナーよりなる少なくとも１層の段ボール紙で組み立てられた直方体形状の組立構造体であって、組立構造体における並列的に隣接する３面に対応し、各面の境界で直角に折り曲げて形成され、側面視がコの字形状の第１の部材と、第１の部材の外縁にその外縁が脱着自在に連結され、組立構造体の隣接する他の３面に対応し、各面の境界で直角に折り曲げて形成され、側面視がコの字形状の第２の部材とを備え、展開時の第１の部材及び第２の部材の各々の長手方向に対して、段ボール紙の紙幅方向が平行に設定されるものである。
【００２９】
このように構成すると、対向する２面を接近する方向に押圧するとき、他の４面の少なくとも１面の紙幅方向は押圧方向に平行となる。
【００３０】
請求項６記載の発明は、中芯と少なくとも１枚のライナーよりなる少なくとも１層の段ボール紙で組み立てられた直方体形状の組立構造体であって、組立構造体における並列的に隣接する３面に対応し、各面の境界で直角に折り曲げて形成され、側面視がコの字形状の第１の部材と、第１の部材の外縁にその外縁が脱着自在に連結され、組立構造体の隣接する他の３面に対応し、各面の境界で直角に折り曲げて形成され、側面視がコの字形状の第２の部材とを備え、展開時の第１の部材及び第２の部材の各々の長手方向に対して、段ボール紙の紙幅方向が直角方向に設定されるものである。
【００３１】
このように構成すると、対向する２面を接近する方向に押圧するとき、他の４面の少なくとも１面の紙幅方向は押圧方向に平行となる。
【発明の効果】
【００３２】
以上説明したように、請求項１記載の発明は、対向する２面を接近する方向に押圧するとき、他の４面の少なくとも１面の紙幅方向は押圧方向に平行となるため、組立構造体の強度のばらつきが減少する。
【００３３】
請求項２記載の発明は、対向する２面を接近する方向に押圧するとき、他の４面の少なくとも１面の紙幅方向は押圧方向に平行となるため、組立構造体の強度のばらつきが減少する。
【００３４】
請求項３記載の発明は、請求項１又は請求項２記載の発明の効果に加えて、段ボール紙のロスが少なくなるため、製品の歩留まりが向上する。
【００３５】
請求項４記載の発明は、請求項１から請求項３のいずれかに記載の発明の効果に加えて、組立前の状態がコンパクトになるため、輸送や販売効率が向上する。
【００３６】
請求項５記載の発明は、対向する２面を接近する方向に押圧するとき、他の４面の少なくとも１面の紙幅方向は押圧方向に平行となるため、組立構造体の強度のばらつきが減少する。
【００３７】
請求項６記載の発明は、対向する２面を接近する方向に押圧するとき、他の４面の少なくとも１面の紙幅方向は押圧方向に平行となるため、組立構造体の強度のばらつきが減少する。
【図面の簡単な説明】
【００３８】
【図１】この発明の第１の実施の形態による組立構造体の外観形状を概略的に示す斜視図である。
【図２】図１に示した組立構造体の展開状態の外観形状を概略的に示す平面図である。
【図３】図１に示した組立構造体を組み立てる工程を概略的に示す斜視図である。
【図４】図１に示した組立構造体を組み立てる工程を概略的に示す他の斜視図である。
【図５】図１に示した組立構造体を組み立てる工程を概略的に示す更に他の斜視図である。
【図６】図１に示した組立構造体において、対向する２面を近接する方向に押圧するときの、組立構造体の各面の段ボール紙の紙幅方向を概略的に示す斜視図である。
【図７】図２に示した第１の部材を折り畳むときの第１の部材の外観形状を概略的に示す斜視図である。
【図８】この発明の第２の実施の形態による組立構造体の展開状態の外観形状を概略的に示す平面図である。
【図９】従来の組立構造体の外観形状を概略的に示す斜視図である。
【図１０】図９に示した組立構造体の展開状態の外観形状を概略的に示す平面図である。
【図１１】図９に示した組立構造体において、対向する２面に対してこれらを接近する方向に押圧するときの、組立構造体の各面の段ボール紙の紙幅方向を概略的に示す斜視図である。
【図１２】図１０に示した展開状態の組立構造体を折り畳むときの組立構造体の外観形状を概略的に示す斜視図である。
【発明を実施するための形態】
【００３９】
図１はこの発明の第１の実施の形態による組立構造体の外観形状を概略的に示す斜視図であり、図２は図１に示した組立構造体の展開状態の外観形状を概略的に示す平面図である。
【００４０】
これらの図を参照して、組立構造体１１は、段ボール紙１２よりなる第１の部材１６と第２の部材２３とを組み立てることで、中空の立方体形状に形成されている。組立構造体１１には、猫等のペットが組立構造体１１の内部に出入りできるように、円形状の開口１７が形成されている。尚、組立構造体１１の他の面には、必要に応じて開口の数を増やせるように、段ボール紙１２を円形に切り抜くことのできるミシン目１８が形成されていてもよい。
【００４１】
第１の部材１６及び第２の部材２３は、それぞれ１層の段ボール紙１２を打ち抜いて形成される。段ボール紙１２は、平板状の表ライナー１３と、裏ライナー（図示せず）と、表ライナー１３と裏ライナーとの間に挟まれた、側面視波状の中芯１４を中心として構成されている。尚、図１及び図２では、説明の都合上、中芯１４の一部が表ライナー１３から露出した状態を示しているが、実際には、中芯１４は表ライナー１３に覆われている。
【００４２】
ここで、中芯１４の波方向を段ボール紙１２の「流れ方向」、流れ方向に対して垂直な方向を段ボール１２の「紙幅方向」とすると、第１の部材１６及び第２の部材２３はそれぞれ、並列的に隣接する３面の長手方向が、展開状態において段ボール紙１２の紙幅方向に対して平行となるように設定されている。
【００４３】
このように、本実施の形態では、展開時の第１の部材１６及び第２の部材２３をそれぞれ長手方向に並べた状態で１枚の段ボール紙１２から打ち抜いて形成することで、段ボール紙１２のロスが少なくなるため、製品の歩留まりが向上する。
【００４４】
次に、組立構造体１１を組み立てる工程について説明する。
【００４５】
図３〜図５はそれぞれ図１に示した組立構造体を組み立てる工程を概略的に示す斜視図である。
【００４６】
はじめに図３及び図４を参照して、展開状態の第１の部材１６及び第２の部材２３について、各面のそれぞれ境界１９、２５で直角に折り曲げる。そして、側面視がコの字形状の第１の部材１６及び第２の部材２３を得る。
【００４７】
次に図５を参照して、第１の部材１６の差込片２０を、対応する第２の部材２３の差込口２６に、第２の部材２３の差込片２７を、対応する第１の部材１６の差込口２１にそれぞれ差し込む。そうすると、第１の部材１６の外縁に第２の部材２３の外縁が連結されて組立構造体１１が完成する。
【００４８】
図６は図１に示した組立構造体において、対向する２面を近接する方向に押圧するときの、組立構造体の各面の段ボール紙の紙幅方向を概略的に示す斜視図である。
【００４９】
図を参照して、はじめに、組立構造体１１において、同図の（１）に示すように、対向する第１面３６と、第２面３７とを近接する方向（図中、矢印１の方向）に押圧する場合について考える。このとき、同図の（２）に示したように、組立構造体１１の第３面３８〜第６面４１の４面のうち、第３面３８、第４面３９、及び第５面４０の３面の各々の段ボール紙１２（図２参照）の紙幅方向は、それぞれ押圧方向に垂直となる。一方で、第６面４１の段ボール紙の紙幅方向は、押圧方向に平行となる。よって、この場合、第６面４１を構成する段ボール紙１２の中芯１４が、押圧に対する抵抗として作用する。
【００５０】
次に、組立構造体１１において、同図の（１）に示すように、対向する第３面３８と第４面３９とを接近する方向（図中、矢印２の方向）に押圧する場合について考える。このとき、同図の（２）に示したように、組立構造体１１の第１面３６、第２面３７、及び第６面４１の３面の各々の段ボール紙１２の紙幅方向は、押圧方向に垂直となる。一方で、第５面４０の段ボール紙１２の紙幅方向は、押圧方向に平行となる。よって、この場合には、第５面４０を構成する段ボール紙１２の中芯１４が、押圧に対する抵抗として作用する。
【００５１】
最後に、組立構造体１１において、同図の（１）に示すように、対向する第５面４０と第６面４１とを近接する方向（図中、矢印３の方向）に押圧する場合について考える。このとき、同図の（２）に示したように、組立構造体１１の第１面３６〜第４面３９の４面の各々の段ボール紙の紙幅方向は、それぞれ押圧方向に対して平行となる。よって、この場合には、第１面３６〜第４面３９を構成する段ボール紙１２の中芯１４が、押圧に対する大きな抵抗として作用する。
【００５２】
このように、組立構造体１１によれば、どの方向から対向する２面を近接する方向に押圧しても、押圧する２面以外の他の４面のうち、少なくとも１面の段ボール紙の紙幅方向は、押圧方向に対して平行となる。つまり、組立構造体１１にあっては、どの方向から対向する２面を近接する方向に押圧しても、少なくとも１面の段ボール紙１２の中芯１４は、押圧に対する抵抗として作用するため、組立構造体１１の強度のばらつきが減少する。
【００５３】
図７は図２に示した第１の部材を折り畳むときの第１の部材の外観形状を概略的に示す斜視図である。
【００５４】
図を参照して、第１の部材１６は、展開状態から側面視においてＺ形状にも折り曲げ自在に構成されている。尚、図示しないが、第２の部材２３（図２参照）についても同様に構成されている。そのため組立構造体１１にあっては、図１２で示したような１枚の部材に比べて実質的な嵩が減るので、組立前の状態がコンパクトになり、輸送や販売効率が向上する。
【００５５】
図８はこの発明の第２の実施の形態による組立構造体の展開状態の外観形状を概略的に示す平面図である。
【００５６】
図を参照して、第２の実施の形態では、組立構造体（図示せず）の第１の部材４６及び第２の部材５３の各々の長手方向に対して、段ボール紙５６の紙幅方向が直角方向に設定されている。尚、その他の点については第１の実施の形態と同様であるので、ここでの説明は繰り返さない。
【００５７】
このような第１の部材４６及び第２の部材５３から組み立てられた組立構造体にあっても、対向する２面を接近する方向に押圧したとき、第１の実施の形態と同様に、対向する２面以外の他の４面の少なくとも１つの面の紙幅方向は押圧方向に平行となる。したがって、この場合にあっても、組立構造体の強度のばらつきが減少する。
【００５８】
尚、上記の各実施の形態では、組立構造体は立方体形状であるが、直方体形状であっても本発明と同様の効果を奏する。
【００５９】
又、上記の各実施の形態では、段ボール紙は特定の構成を有しているが、中芯と１枚のライナーよりなる少なくとも１層の段ボール紙であれば、本発明と同様の効果を奏する。したがって、段ボール紙は、複数の中芯と複数のライナーよりなる２層以上のものであってもよい。
【００６０】
更に、上記の各実施の形態では、第１の部材及び第２の部材は特定の方法で連結されているが、第１の部材の外縁に第２の部材の外縁が脱着自在に連結される構成であれば、他の方法で連結されてもよい。
【００６１】
更に、上記の各実施の形態では、第１の部材及び第２の部材は、長手方向に並べた状態で１枚の段ボール紙から打ち抜いて形成されているが、第１の部材及び第２の部材は別々の段ボール紙から打ち抜いて形成されてもよい。
【００６２】
更に、上記の各実施の形態では、第１の部材及び第２の部材は、それぞれ側面視がコの字形状に折り曲げ自在であるのに加えて、他の形状にも折り曲げ自在に構成されているが、これらの部材は少なくとも側面視がコの字形状に折り曲げ自在であればよい。
【００６３】
更に、上記の各実施の形態では、組立構造体のコーナー部に切欠があるものを立方体形状としているが、コーナー部の切欠はなくてもよい。
【符号の説明】
【００６４】
１１…組立構造体
１３…表ライナー
１４…中芯
１６，４６…第１の部材
２３，５３…第２の部材
１９，２５…境界
１２，５６…段ボール紙
尚、各図中同一符号は同一又は相当部分を示す。
【図１】
2016140286.tif 000003
【図２】
2016140286.tif 000004
【図３】
2016140286.tif 000005
【図４】
2016140286.tif 000006
【図５】
2016140286.tif 000007
【図６】
2016140286.tif 000008
【図７】
2016140286.tif 000009
【図８】
2016140286.tif 000010
【図９】
2016140286.tif 000011
【図１０】
2016140286.tif 000012
【図１１】
2016140286.tif 000013
【図１２】
2016140286.tif 000014